(57)【特許請求の範囲】
【請求項１】
樹木(13)を支持施工する際に、根鉢(12)に掛け回わされる紐材（15）を掛止させるべく、樹木(13)の根元部(14)に巻装するための巻装具であって、巻装具本体(1a)の少なくとも一部が、麻、綿、ジュート、又はこれらの素材の混紡素材からなる分解性素材で構成され、且つ前記巻装具本体(1a)には、蝋、糊、松脂、タール、植物油又はシリコンオイル若しくはシリコン樹脂が含浸又はコーティングされて、樹木の生育年数に対応して分解時期を延ばしうるような処理が施されてなることを特徴とする樹木の支持施工における樹木根元部の巻装具。
【請求項２】
巻装具本体(1a)が板ベルト状に形成されている請求項１記載の樹木の支持施工における樹木根元部の巻装具。
【発明の詳細な説明】
【０００１】
【発明の属する技術分野】
本発明は、樹木の支持施工における樹木根元部の巻装具、さらに詳しくは、主として樹木の根鉢を地中に埋設して樹木を支持施工する際に、その樹木の根元部に巻装する巻装具に関するものである。
【０００２】
【従来の技術】
一般に、この種の樹木の支持施工方法は、予め地面に形成された植穴内に根鉢を収納し、樹木の根元部に巻装具を巻装し、この巻装具に掛止された張設用ワイヤーを根鉢に掛け回すとともに、植穴の底壁面に打ち込まれたアンカーに掛止しさらにワイヤーに張力を生ぜしめ、全体として樹木を支持固定して施工される方法である。
【０００３】
そして、このような施工方法において、樹木の根元部に巻装される巻装具は、支持施工の構造体全体としての支点となるものであるため、その巻装具としてどようなものを使用するか、或いはどのように樹木の根元部に巻装するかは、重要な問題である。
【０００４】
【発明が解決しようとする課題】
ところで、このような巻装具は、樹木の根元部に巻装されるものであるが故に次のような本質的に相反する問題を有する。
【０００５】
すなわち、支持施工を確実ならしめるためには、樹木の根元部に対して所定の緊締力を維持することが好ましく、この観点からすれば巻装具は極力樹木の根元部に適合して巻装されるのが好ましい。
【０００６】
しかし、樹木は生育するにつれて幹全体の太さが太くなり、根元部の太さも太くなる。従って、当初から根元部に適合して巻装具を巻装しておくと、樹木の生育につれてその巻装具が不用意に樹木の根元部に食い込むこととなる。
【０００７】
一方、樹木の生育を予測して、当初には樹木の根元部の太さよりも大きい径で緩めに巻装しておくと、逆に緊締力が損なわれる。
【０００８】
特に、この種の樹木の支持施工においては、巻装具のみならず上記のような張設用ワイヤーやアンカーをも用いて樹木が支持されているため、巻装具で根元部を巻装している位置が樹木の支持構造全体の支点となっている。従って、樹木に傾倒力が生じた場合に、巻装具が緩めに樹木の根元部に巻装されていると、その巻装具が巻装された径に応じて樹木の根元部すなわち樹木の支持構造の支点が応力の移動に伴って動くこととなり、その結果、張設用ワイヤーまでもが緩むおそれがあり、全体の支持施工の構造体としての機能が損なわれることとなる。
また、仮に巻装具を緩めに樹木の根元部に巻装した場合でも、樹木の生育により巻装具が樹木の根元部に食い込むという問題点が解消されるわけでもない。
【０００９】
そして、このような相反する問題点は、本質的に同時には解決し得ないものであるが、従来では樹木の支持力を損なわせないとの観点より、ある程度の緊締力により樹木の根元部に巻装具を巻装し、その巻装具として金属製のワイヤータイプのものや、化学繊維からなるもの、或いはゴム製のもの等が使用されていた。
【００１０】
しかし、金属製のワイヤータイプの巻装具は、素材の強度によって樹木の根元部を緊締するものであるため、樹木の生育につれて樹木の内部に食い込み、樹木に対して必ずしも良い影響を与えるものではなかった。
【００１１】
また、金属自体が年月の経過によっても残存するため、その廃棄等の処分も問題となる。
【００１２】
これに対して化学繊維やゴムからなる巻装具は、金属製のものに比べると可撓性を有するため、樹木への食い込みも金属製の巻装具に比べると緩和される。
【００１３】
しかし、年月の経過によっても残存する点では金属製のものと同様の問題点を有し、むしろ廃棄処分に関しては金属よりも困難であり、現在では産業廃棄物としての処理が一種の社会問題視さえされている。
【００１４】
本発明は、このような問題点をすべて解決するためになされたもので、樹木の根元部の緊締力を損なうことなく樹木への食い込み等の影響も極力防止でき、しかも樹木の生育後は産業廃棄物として残存させず、廃棄処分等を容易にすることを課題とするものである。
【００１５】
【課題を解決するための手段】
本発明は、このような課題を解決するためになされたもので、その課題を解決するための手段は、樹木を支持施工する際に、根鉢に掛け回わされる紐材を掛止させるべく、樹木の根元部に巻装するための巻装具であって、巻装具本体1aの少なくとも一部が、分解可能な分解性素材で構成され、且つ前記巻装具本体1aには、樹木の生育年数に対応して分解時期を延ばしうるような処理が施されてなることにある。
【００１６】
巻装具本体1aを構成する「分解可能な分解性素材」としては、麻、綿、ジュート、又はこれらの素材の混紡素材が使用される。
【００１７】
また、「樹木の生育年数に対応して分解時期を延ばしうるような処理」としては、蝋、糊、松脂、タール、植物油、又はシリコンオイル若しくはシリコン樹脂を前記巻装具本体1aに含浸又はコーティングする処理がなされる。
【００１８】
【発明の実施の形態】
以下、本発明の実施形態について図面に従って説明する。
【００１９】
一実施形態としての、樹木の支持施工における樹木根元部の巻装具１の構成について説明するに、巻装具本体1aは、図１に示すように全体が略板ベルト状に形成されたものであり、また麻によって構成されている。
【００２０】
さらに、この巻装具本体1aには、蝋をコーティングすることによって耐水処理又は撥水処理がされている。
【００２１】
２は、前記巻装具本体1aの両端部を止着し、締付力等を調整するためのバックルで、図２に示すように前記バックル２に穿設された複数箇所の孔３，…に前記巻装具本体1aの両端部が挿通されることによって、止着されている。
【００２２】
そして、このような構成からなる樹木根元部の巻装具１は、樹木を支持施工する際に、その樹木の根元部に巻装して使用されるものである。
【００２３】
次に、この樹木根元部の巻装具１を、支持施工される樹木の根元部に巻装する場合について、一例としての樹木の支持施工方法とともに具体的に説明する。
【００２４】
先ず、図３に示すように予め形成された植穴４の底壁面５に客土６を散布し、その上部に、同図及び図４に示すように根鉢用載置体７を載置する。
【００２５】
次に、上記のような根鉢用載置体７の４本のスライド杆９, …を、それぞれ外向きにスライドさせて載置体本体８を拡張し、前記スライド杆９の先端部の上面に固着された４本の打込杆10，…を、図５及び図６に示すようにそれぞれ植穴４の内壁面11に打ち込む。
【００２６】
上述のようにして打込杆10，…が打ち込まれて根鉢用載置体７が固定された後、図７に示すようにその根鉢用載置体７上に根鉢12を載置する。
【００２７】
次に、図７のように、樹木13の根元部14と根鉢12の略直下の載置体本体８（より詳しくはスライド杆９の根元部）とに張設用ワイヤー15を掛け回す。
【００２８】
この際、図７及び図８に示すように、根鉢12を張設用ワイヤー15の該根鉢12の食い込みから保護するために保護パット16が根鉢12の肩部に添えられる。
【００２９】
次に、樹木13の根元部14と張設用ワイヤー15とを連結する場合には、図７及び図８に示すように、前記樹木13の根元部14に巻装具１を巻装し、その巻装具１に取付けられた止め具17，…に前記張設用ワイヤー15を掛止する。
【００３０】
その後、ウインチ18によって該張設用ワイヤー15に張力を生ぜしめる。
【００３１】
そして、その張力によって前記根鉢12が支持されるとともに、前記張設用ワイヤー15の張力が前記巻装具１にも作用し、該巻装具１が前記樹木13の根元部14に圧接支持されることとなるのである。
【００３２】
この場合において、巻装具本体1aが麻で構成されているため、上記のように樹木13の根元部14に巻装された場合でも、巻装具本体1aが樹木に不用意に食い込むこともない。
【００３３】
しかも、巻装具本体1aは板ベルト状に形成されているため、その巻装具本体1aの端部を結着する作業も容易に行うことができる。
【００３４】
また、巻装具本体1aが板ベルト状に形成されているため、樹木13の根元部14に巻装具１を巻装した状態において、巻装具本体1aは根鉢12上に立設することとなり、巻装具本体1aの高さに比べてその幅が狭いため、その巻装具本体1aの根鉢12に対する接触面積は小さい。
【００３５】
従って、根鉢12に水分が含まれている場合、その水分が図９の矢印Ｂ方向に示すように巻装具本体1aに浸み上がるのに相当な時間がかかり、たとえば巻装具本体1aが紐状に形成されている場合に比べると、水分を原因とする腐れによる分解に要する時間が大幅に伸びることとなり、水による分解が極端に早まるのを防止できることとなる。
【００３６】
よって、巻装具本体1aがたとえば紐状に形成されていると、上記のような水による分解時間が早まるのを防止するため、ある程度巻装具本体1aを太くする必要があるが、上記実施例のように板ベルト状に形成されていると、太くする必要もなく、その結果、巻装具１の外観体裁を損なうこともないのである。
【００３７】
以上のようにして樹木13の根元部14を支持した後、植穴４内に土等を埋めることによって、樹木の支持施工が完成する。
【００３８】
施工された樹木は、年月の経過によりその根元部も徐々に太くなり、従って巻装具１の緊締力に対応できなくなるが、巻装具本体1aが麻で構成されているため、年月の経過によって土中等の微生物によって徐々に分解し、従って樹木の径が広がっても樹木13の根元部14に不用意に食い込むこともなく、その食い込み等による影響を著しく緩和することができる。
【００３９】
しかも、巻装具本体1aには、蝋をコーティングすることによって耐水処理又は撥水処理がされているため、巻装具本体1aへの水分の浸透がある程度阻止され、その結果、巻装具本体1aが分解される年数が極端に短縮されることもないのである。
【００４０】
すなわち、巻装具本体1aを構成する麻等の天然繊維の分解は、紫外線，土中微生物，水等が要因となるが、上記のような耐水処理又は撥水処理がなされることにより、巻装具本体1aの分解速度を遅らせることができるのである。
【００４１】
ちなみに、本実施形態では、樹木の施工後、巻装具１が分解する年数を約５年まで延ばすことが可能となった。
【００４２】
一般に、５年経過すると、樹木の根が成長し、樹木は自立しうる状態になると考えられている。従って、本実施例では、巻装具１が分解した頃に樹木の根が生長するため、巻装具１の緊締力により樹木の根元部に食い込み等の影響を及ぼすことがなく、且つ緊締力を維持することもできるのである。
【００４３】
尚、上記実施形態においては、巻装具本体1aが麻で構成されていたが、巻装具本体1aの材質はこれに限定されるものではなく、麻以外の生分解性素材、たとえば綿，ジュート，藁，紙，羊毛，絹，皮革，木材，又はシュロ等で構成されていてもよい。
【００４４】
また、これらの素材の２以上のものを混合して用いることも可能である。たとえば麻と綿との混紡等である。
【００４５】
また、生分解性素材以外の分解性素材、たとえば光分解性素材で巻装具本体1aを構成することも可能である。この場合、生分解性素材と光分解性素材とを混合して巻装具本体1aを構成することも可能である。
【００４６】
要は、樹木の生育年数に対応して分解可能な分解性素材で構成されていればよい。
【００４７】
さらに、上記実施例では、耐水処理又は撥水処理の手段として、巻装具本体1aへ蝋をコーティングしたが、耐水処理又は撥水処理の手段はこれに限定されるものではなく、蝋以外にたとえば糊，松脂，タール，植物油，又はシリコンオイル若しくはシリコン樹脂等を用いることも可能である。
【００４８】
また、コーティング以外に含浸等の手段によって処理することも可能であり、処理剤の種類に応じてその手段は任意に変更可能である。
【００４９】
さらに、上記のような耐水処理又は撥水処理以外の手段、たとえば紫外線や微生物に対応するような処理を施すことも可能であり、要は、樹木の生育年数に対応して分解時期を延ばしうるような処理が巻装具本体1aに施されていればよいのである。
【００５０】
ここで、「樹木の生育年数に対応して分解時期を延ばしうるような」とは、樹木の根が適度に生長した頃まで分解時期を延ばすことができることを意味し、その年数には、本発明の意図する範囲である程度の幅がある。
【００５１】
さらに、上記実施形態では、巻装具本体1aを板ベルト状に形成したため、上記のような好ましい効果が得られたが、巻装具本体1aの形状はこれに限定されるものではない。
【００５２】
さらに、上記実施形態では、巻装具本体1aの全体が分解性素材で構成されていたが、必ずしも全体が分解性素材で構成される必要はなく、一部のみが分解性素材で構成されていてもよい。要は、巻装具本体1aの少なくとも一部が分解性素材で構成されていればよいのである。
【００５３】
さらに、該実施形態では、根鉢用載置体７上に根鉢12を載置し、根鉢12に掛け回した紐材15を根鉢用載置体７に掛止することによって、樹木を支持固定したが、樹木を支持固定する手段はこれに限定されるものではなく、上記のような根鉢用載置体５を用いることなく、たとえば図10に示すように、植穴４の底壁面５に打ち込まれたアンカー19に紐材15を掛止することによって樹木を支持固定することも可能である。
【００５４】
従って、樹木の支持固定方法は問うものではない。
【００５５】
【発明の効果】
叙上のように、本発明は、巻装具本体を麻等の分解性素材で構成したものであるため、年月の経過により樹木の根元部が徐々に太くなっても、巻装具本体は年月の経過によって徐々に分解し、従って樹木が生育して樹木の径が広がっても樹木の根元部に不用意に食い込むこともなく、その食い込み等による種々の問題点を解消することが可能となる。
【００５６】
すなわち、巻装具の食い込みによる樹木の生育不良を防止でき、さらには巻装具の食い込みを防止するために樹木の生育に応じて巻装具を切断するという従来の煩雑な作業も不要になるという効果がある。
【００５７】
さらに重要な点は、巻装具本体には、耐水処理や撥水処理等の「樹木の生育年数に対応して分解時期を延ばしうるような」処理が施されているため、巻装具本体への水分の浸透がある程度阻止され、その結果、巻装具本体が分解される年数が極端に短縮されることもなく、樹木の生育年数に応じた適度な時期に分解させることができるという効果がある。
【図面の簡単な説明】
【図１】一実施形態としての巻装具を示し、（イ）は概略斜視図、（ロ）は（イ）のＡ−Ａ線拡大断面図。
【図２】巻装具本体の止着部分を示す要部拡大断面図。
【図３】根鉢用載置体を植穴の底壁面に載置する工程の一部断面側面図。
【図４】根鉢用載置体を植穴の底壁面に載置する工程の一部断面平面図。
【図５】打込杆を側壁面に打ち込んだ工程の一部断面側面図。
【図６】打込杆を側壁面に打ち込んだ工程の一部断面平面図。
【図７】根鉢用載置体に根鉢を載置した状態の一部断面側面図。
【図８】根鉢用載置体に根鉢を載置した状態の一部断面平面図。
【図９】巻装具本体に水分が浸み上がる作用を説明するための要部拡大断面図。
【図１０】樹木の支持施工方法の他の実施形態の一部断面概略斜視図。
【符号の説明】
１…巻装具                    1a…巻装具本体
【図１】
0003735410.tif 000002
【図２】
0003735410.tif 000003
【図３】
0003735410.tif 000004
【図４】
0003735410.tif 000005
【図５】
0003735410.tif 000006
【図６】
0003735410.tif 000007
【図７】
0003735410.tif 000008
【図８】
0003735410.tif 000009
【図９】
0003735410.tif 000010
【図１０】
0003735410.tif 000011